(57)【要約】【課題】廃棄処理すべき記録媒体を確実に廃棄処理できるようにする。【解決手段】廃棄処理装置３は、記録媒体の廃棄を行う廃棄処理手段４と、記録媒体を廃棄処理手段４まで導く通路となる搬送路と、記録媒体の存在の有無を検知する第１および第２の記録媒体検知手段（７、８）と、第１および第２の記録媒体検知手段（７、８）のＯＮ／ＯＦＦシーケンスの検知結果によって記録媒体が廃棄処理手段４によって廃棄されたか否かを判定する廃棄完了判定手段１１とを備える。【選択図】図１
2008178777.tif 000002
【特許請求の範囲】
【請求項１】
記録媒体の廃棄を行う廃棄処理手段と、
前記記録媒体を前記廃棄処理手段まで導く通路となる搬送路と、
前記記録媒体の存在の有無を検知し、前記搬送路に沿って上流から下流に配置される複数の記録媒体検知手段と、
前記複数の記録媒体検知手段の検知結果に基づいて、前記記録媒体が前記廃棄処理手段によって廃棄されたか否かを判定する廃棄完了判定手段と、
を有することを特徴とする廃棄処理装置。
【請求項２】
前記廃棄完了判定手段は、前記複数の記録媒体検知手段が出力する各状態遷移の順序によって、前記記録媒体が前記廃棄処理手段によって廃棄されたか否かを判定することを特徴とする請求項１に記載の廃棄処理装置。
【請求項３】
前記廃棄完了判定手段は、前記複数の記録媒体検知手段が出力する各状態遷移の順序と前記複数の記録媒体検知手段が出力する各出力状態によって、前記記録媒体が前記廃棄処理手段によって廃棄されたか否かを判定することを特徴とする請求項１に記載の廃棄処理装置。
【請求項４】
前記記録媒体に付された管理情報を取得する取得手段と、
前記記録媒体が前記廃棄処理手段によって廃棄されなかったと前記廃棄完了判定手段が判定した場合に、当該記録媒体が廃棄されなかったことと当該管理情報を関連付けてネットワーク上に接続される外部の情報管理装置に通知する通信手段と、
を有することを特徴とする請求項１乃至３のうちいずれか１項に記載の廃棄処理装置。
【請求項５】
前記記録媒体に付された管理情報を取得する取得手段と、
前記記録媒体が前記廃棄処理手段によって廃棄されたと前記廃棄完了判定手段が判定した場合に、当該記録媒体が廃棄されたことと当該管理情報を関連付けてネットワーク上に接続される外部の情報管理装置に通知する通信手段と、
を有することを特徴とする請求項１乃至３のうちいずれか１項に記載の廃棄処理装置。
【請求項６】
記録媒体の廃棄を行う廃棄処理手段と、前記記録媒体に付された管理情報を取得する取得手段と、前記記録媒体を前記廃棄処理手段まで導く通路となる搬送路と、前記記録媒体の存在の有無を検知し、前記搬送路に沿って上流から下流に配置される複数の記録媒体検知手段と、前記複数の記録媒体検知手段の検知結果に基づいて、前記記録媒体が前記廃棄処理手段によって廃棄されたか否かを判定する廃棄完了判定手段と、を有する廃棄処理装置と、
前記記録媒体の管理情報を管理する情報管理装置とをネットワークで接続してなる廃棄処理情報管理システムであって、
前記廃棄処理装置は、前記記録媒体が前記廃棄処理手段によって廃棄されたか否かを前記廃棄完了判定手段が判定した場合に、当該記録媒体が廃棄されたか否かを当該管理情報を関連付けて前記ネットワーク上に接続される前記情報管理装置に通知する通信手段を有することを特徴とする廃棄処理情報管理システム。
【発明の詳細な説明】
【技術分野】
【０００１】
本発明は、記録媒体を廃棄する廃棄処理装置および廃棄処理情報管理システムに関する。
【背景技術】
【０００２】
機密書類の書類記載情報を取得して記憶した後に、機密書類を切断して破棄することにより、機密書類を管理する機密書類管理システムが知られている（特許文献１参照）。
【０００３】
【特許文献１】特開２００３−６２４７６号公報
【発明の開示】
【発明が解決しようとする課題】
【０００４】
しかしながら、上記従来例においては、書類の切断前に書類記載情報取得手段を介して書類記載情報を取得し、その書類記載情報を機密書類管理システムに受け渡しを行っているが、書類の書類記載情報を取得した後、切断完了までの間に、書類を切断装置から引き抜き、廃棄完了を不正に機密書類管理システムに通知を行うことができるという問題があった。この結果、文書に記載された情報が流出するという問題が生じる可能性があった。
【０００５】
そこで、本発明は、廃棄処理すべき記録媒体を確実に廃棄処理することができる廃棄処理装置を提供することを目的とする。
【課題を解決するための手段】
【０００６】
請求項１に記載の発明は、記録媒体の廃棄を行う廃棄処理手段と、前記記録媒体を前記廃棄処理手段まで導く通路となる搬送路と、前記記録媒体の存在の有無を検知し、搬送路に沿って上流から下流に配置される複数の記録媒体検知手段と、前記複数の記録媒体検知手段の検知結果に基づいて、前記記録媒体が前記廃棄処理手段によって廃棄されたか否かを判定する廃棄完了判定手段と、を有することを特徴とする廃棄処理装置である。
【０００７】
請求項２に記載の発明は、請求項１に記載の廃棄処理装置において、前記廃棄完了判定手段は、前記複数の記録媒体検知手段が出力する各状態遷移の順序によって、前記記録媒体が前記廃棄処理手段によって廃棄されたか否かを判定することを特徴とするものである。
【０００８】
請求項３に記載の発明は、請求項１に記載の廃棄処理装置において、前記廃棄完了判定手段は、前記複数の記録媒体検知手段が出力する各状態遷移の順序と前記複数の記録媒体検知手段が出力する各出力状態によって、前記記録媒体が前記廃棄処理手段によって廃棄されたか否かを判定することを特徴とするものである。
【０００９】
請求項４に記載の発明は、請求項１乃至３のうちいずれか１項に記載の廃棄処理装置において、前記記録媒体に付された管理情報を取得する取得手段と、前記記録媒体が前記廃棄処理手段によって廃棄されなかったと前記廃棄完了判定手段が判定した場合に、当該記録媒体が廃棄されなかったことと当該管理情報を関連付けてネットワーク上に接続される外部の情報管理装置に通知する通信手段と、を有することを特徴とするものである。
【００１０】
請求項５に記載の発明は、請求項１乃至３のうちいずれか１項に記載の廃棄処理装置において、前記記録媒体に付された管理情報を取得する取得手段と、前記記録媒体が前記廃棄処理手段によって廃棄されたと前記廃棄完了判定手段が判定した場合に、当該記録媒体が廃棄されたことと当該管理情報を関連付けてネットワーク上に接続される外部の情報管理装置に通知する通信手段と、を有することを特徴とするものである。
【００１１】
請求項６に記載の発明は、記録媒体の廃棄を行う廃棄処理手段と、前記記録媒体に付された管理情報を取得する取得手段と、前記記録媒体を前記廃棄処理手段まで導く通路となる搬送路と、前記記録媒体の存在の有無を検知し、搬送路に沿って上流から下流に配置される複数の記録媒体検知手段と、前記複数の記録媒体検知手段の検知結果に基づいて、前記記録媒体が前記廃棄処理手段によって廃棄されたか否かを判定する廃棄完了判定手段と、を有する廃棄処理装置と、前記記録媒体の管理情報を管理する情報管理装置とをネットワークで接続してなる廃棄処理情報管理システムであって、前記廃棄処理装置は、前記記録媒体が前記廃棄処理手段によって廃棄されたか否かを前記廃棄完了判定手段が判定した場合に、当該記録媒体が廃棄されたか否かを当該管理情報を関連付けて前記ネットワーク上に接続される前記情報管理装置に通知する通信手段を有することを特徴とする廃棄処理情報管理システムである。
【発明の効果】
【００１２】
請求項１乃至３に記載の発明によれば、廃棄処理すべき記録媒体を確実に廃棄処理することができる。特に記録媒体を搬送中に記録媒体が抜き取られるなどの異常処理があった場合でも確実に異常を知ることができる。
【００１３】
請求項４乃至６に記載の発明によれば、廃棄処理すべき記録媒体が廃棄された、あるいは廃棄されなかったことを外部の情報管理装置に通知できるため、一度に大量の記録媒体を廃棄したときなどに、廃棄できなかった記録媒体があったかどうか、また、どの記録媒体を廃棄できなかったのかを即座に知ることができる。
【発明を実施するための最良の形態】
【００１４】
以下、本発明の具体的な実施の形態について図面を参照しつつ詳細に説明する。
【００１５】
図１は本発明の実施形態に係る廃棄処理情報管理システムのブロック図である。図示した廃棄処理情報管理システムにおいて、ネットワーク１には情報管理装置２と廃棄処理装置３が接続されている。情報管理装置２は、記録媒体の管理情報を管理するものである。廃棄処理装置３は、記録媒体の廃棄を実施するものである。
【００１６】
廃棄処理装置３は、記録媒体に付された管理情報を取得する取得手段９と、媒体積載部上の廃棄媒体の有無を検知する第１の記録媒体検知手段７と、記録媒体の廃棄を行う廃棄処理手段４と、記録媒体が廃棄処理手段４に到達する前段に記録媒体の通過を検知する第２の記録媒体検知手段８と、廃棄処理手段４に向けて記録媒体を搬送することを規制する搬送規制手段６と、第１の記録媒体検知手段７および第２の記録媒体検知手段８からの検知情報に応じて記録媒体が廃棄処理手段４によって正常に廃棄されたか、あるいは廃棄処理に異常が発生したかを判定する廃棄完了判定手段１１と、取得手段９が取得した管理情報を取り込んで廃棄処理手段４に廃棄処理の実行を指示等する制御手段５と、制御手段５からの情報をネットワーク１を通して外部の情報管理装置２に伝えるとともに、ネットワーク１を通して外部の情報管理装置２からの情報を制御手段５に伝える通信手段１０と、制御手段５からの情報を受け取りユーザーにその内容を表示する表示手段１２とを備える。
【００１７】
記録媒体は、例えば電子情報を記録したＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｃ）、フロッピー（登録商標）ディスク、ハードディスク等の書き込み読み取り可能なディスク状の記録媒体、またはインク、トナー等で印字情報を載せた紙媒体等の記録媒体である。本実施形態では、記録媒体としてインク、トナー等で印字情報を記録した紙媒体を例として挙げる。
【００１８】
記録媒体上に付された管理情報とは、例えば、ＲＦＩＤ（Ｒａｄｉｏ Ｆｒｅｑｕｅｎｃｙ Ｉｄｅｎｔｉｆｉｃａｔｉｏｎ）等の無線チップにより記憶させたり、紙媒体等の上に印刷されたＱＲ（Ｑｕｉｃｋ Ｒｅｓｐｏｎｓｅ）コード等のように２次元にコード化させたりした管理情報である。管理情報とは具体的には、紙媒体の情報が作成された日時や作成者、紙媒体が印字された日時や印字を実行した実行者、印字された紙媒体が廃棄された日時や廃棄を実施した実施者、廃棄処理の実施を許可する時期、廃棄処理の実施を許可しない時期、廃棄処理の実施を許可された者、記録媒体が紙媒体の場合には全ページが何ページで構成されているものなのか等の情報である。本実施形態では、管理情報として紙媒体上にＱＲコードによって印刷された管理情報を例として挙げる。
【００１９】
取得手段９は、管理情報が無線チップによって記録されていた場合は、電波や電磁波で交信する情報取得器であり、また管理情報が紙媒体等の上に印刷されたＱＲコードにコード化された場合は２次元ＣＣＤ（Ｃｈａｒｇｅ Ｃｏｕｐｌｅｄ Ｄｅｖｉｃｅｓ）等のイメージセンサである。本実施形態では、取得手段９として２次元ＣＣＤを例として挙げる。
【００２０】
廃棄処理手段４は、記録媒体が再使用不能となるように処理を施すものである。具体的にはカッターをモーターによって回転させることにより記録媒体を切断したり、破砕、粉砕したりするものである。本実施形態ではモーターを駆動源として構成され、図２に示すように回転運動により記録媒体を切断する廃棄処理手段４を挙げる。
【００２１】
図２は本発明の実施形態に係る廃棄処理装置の構成図である。なお図１のブロック図と図２の構成図との対応を容易に理解できるようにするため、共通の要素には同じ参照番号を付して示す。本実施形態として挙げる取得手段９としての２次元ＣＣＤは、２次元光電変換部９ａとレンズ９ｂとから構成されている。廃棄の対象となる紙媒体１３は、図示しないトレイにユーザーによって置かれ、図示しないローラー等の引き込み手段によって1枚ずつトレイ部１９に搬送される。紙媒体１３はトレイ部１９上で第１の記録媒体検知手段７によって検知される。
【００２２】
本実施形態では第１の記録媒体検知手段７としてフォトインタラプタを用いる。フォトインタラプタはそれ自体が発光する光をフォトインタラプタ自体が受光する構成になっている。紙媒体１３がトレイ部１９上にあるときは紙媒体１３が光を遮り、フォトインタラプタが光を受光できない状態となる。また、紙媒体１３がトレイ部１９上にないときは、紙媒体１３が光を遮らないためフォトインタラプタが光を受光できる状態となる。フォトインタラプタは、それぞれの光の受光状態によって紙媒体１３の有無を示す検知信号を、紙媒体１３の検知結果として制御手段５および廃棄完了判定手段１１に出力する。ここでは一例として、フォトインタラプタの光が紙媒体１３によって遮られている状態、つまりフォトインタラプタの検知位置に紙媒体１３が有りの状態でフォトインタラプタの検知信号がＯＮ状態になり、フォトインタラプタの光が紙媒体１３によって遮られていない状態、つまりフォトインタラプタの検知位置に紙媒体１３が無しの状態でフォトインタラプタの検知信号がＯＦＦ状態になるものとする。フォトインタラプタからの検知信号を廃棄完了判定手段１１が受信した際の処理については後述する。
【００２３】
上記検知信号をトリガーとして、紙媒体１３上に印字されたＱＲコード１４としてコード化された記録媒体の管理情報は、２次元ＣＣＤからなる取得手段９によって読み取られる。取得手段９によって読み取られた管理情報は制御手段５に送信される。廃棄処理装置３は取得手段９で取得した管理情報を通信手段１０を介して図１に示した情報管理装置２に送信する。情報管理装置２は送信データと管理情報データベースの内容を照合し、廃棄可否の情報を廃棄処理装置３に送信する。取得手段９によって読み取られた管理情報により廃棄可否が判断できる情報が予め廃棄処理装置３内に記憶されていれば、情報管理装置２にアクセスする必要はない。紙媒体１３が廃棄可能な場合、制御手段５は紙媒体１３を廃棄処理手段４に向けて搬送することを規制していた搬送規制手段６となるゲートを開くとともに記録媒体搬送手段１５（１５ａ，１５ｂ）を駆動させ、廃棄対象の記録媒体となる紙媒体１３を廃棄処理手段４へ搬送する。
【００２４】
取得手段９によってＱＲコード１４を読み取られた紙媒体１３は、図示しないモーターで駆動される搬送ローラー１５ａおよび１５ｂによって、廃棄処理手段４まで搬送される。ここで、搬送ローラー１５ａには当該搬送ローラー１５ａに対して向かい合うように搬送補助手段２１ａが設けられ、搬送ローラー１５ｂには当該搬送ローラー１５ｂに対して向かい合うように搬送補助手段２１ｂが設けられている。搬送補助手段２１ａおよび２１ｂは、本実施形態では駆動力は備わらないローラーで、望ましくは摩擦係数が高い材質でローラー表面が覆われているように構成されている。搬送ローラー１５ａおよび１５ｂが回転することで搬送補助手段２１ａおよび２１ｂは、搬送ローラー１５ａと搬送補助手段２１ａ、搬送ローラー１５ｂと搬送補助手段２１ｂが接触している面の摩擦により回転される。
【００２５】
次に、第２の記録媒体検知手段８は、紙媒体１３が搬送路１６を通過することを検知する。第２の記録媒体検知手段８の検知信号は制御手段５および廃棄完了判定手段１１に出力される。第２の記録媒体検知手段８からの検知信号を廃棄完了判定手段１１が受信した際の処理については後述する。本実施形態では第２の記録媒体検知手段８としてフォトインタラプタを用いる。フォトインタラプタの構成及び動作原理については、上述した第１の記録媒体検知手段７の場合と同様であるため、詳細な説明は省略する。紙媒体１３は、第２の記録媒体検知手段８の検知位置を通過した後に廃棄処理手段４に到達し、この廃棄処理手段４で紙媒体１３が再使用不能となるように切断等の廃棄処理を施す。
【００２６】
次に、本発明の実施形態の廃棄完了判定手段１１の廃棄完了判定について、本廃棄処理装置３での廃棄シーケンスを図３および図４を用いて説明する。
【００２７】
図３は廃棄処理装置３で紙媒体１３が正常に廃棄された場合のシーケンスを示す図である。図３において、第１の記録媒体検知手段７の検知信号（ＯＮ／ＯＦＦ）および第２の記録媒体検知手段８の検知信号（ＯＮ／ＯＦＦ）のうち、ＯＮは、それぞれの検知位置で紙媒体１３の存在を検知していることを示し、ＯＦＦは、それぞれの検知位置で紙媒体１３の存在を検知していないことを示している。
【００２８】
まず、トレイ部１９上に紙媒体１３が置かれると、第１の記録媒体検知手段７の検知信号がＯＦＦからＯＮに切り替わる（図３Ａ）。次に、取得手段９が管理情報の読み取りを行い、この読み取り結果から紙媒体１３を廃棄処理手段４へ送ることをゲート等で規制していた搬送規制手段６を開き、廃棄処理手段４へ送ることの規制を解除する（図３Ｂ）。次に紙媒体１３は廃棄処理手段４の方向へ搬送され、この搬送途中で紙媒体１３が第２の記録媒体検知手段８によって検知される。この段階で第２の記録媒体検知手段８の検知信号はＯＦＦからＯＮに切り替わる（図３Ｃ）。このとき、紙媒体１３の後端は、まだ第１の記録媒体検知手段７の検知位置を通過していないため、第１の記録媒体検知手段７の検知信号はＯＮ状態を維持している。
【００２９】
その後、紙媒体１３は廃棄処理手段４に到達し、そこで廃棄処理される。正常に廃棄している場合、紙媒体１３は廃棄処理手段４の方向に搬送される。このため、各々の記録媒体検知手段７，８の検知信号は、紙媒体１３の移動に伴って、第１の記録媒体検知手段７の検知信号がＯＦＦした後、第２の記録媒体検知手段８の検知信号がＯＦＦとなる（図３ＤおよびＥ）。廃棄完了判定手段１１は第１の記録媒体検知手段７または第２の記録媒体検知手段８が出力する検知信号が、図３に示すＡ，Ｃ，Ｄ，Ｅの各時点のように状態遷移した際に、残りの記録媒体検知手段の検知信号が図３の表中に示す状態であるか、図３に示すＡ，Ｃ，Ｄ，Ｅのような順序で遷移しているかを確認し、図３の表中に示す期待値であれば紙媒体１３は正常に廃棄されたと判定し、その判定結果（以下、「正常廃棄処理判定結果」と記す）を制御手段５に送信する。
【００３０】
廃棄完了判定手段１１が制御手段５に判定結果を送信するタイミングとしては、例えば、第２の記録媒体検知手段８の検知信号がＯＮからＯＦＦに切り替わった時点、または、その時点から一定時間経た後などが考えられる。また、第１の記録媒体検知手段７の検知信号がＯＮからＯＦＦに切り替わった時点で搬送規制手段６を再び閉じ、廃棄処理手段４へ紙媒体１３を搬送することの規制をする。
【００３１】
廃棄完了判定手段１１が制御手段５に正常廃棄処理判定結果を送信した場合は、制御手段５は、紙媒体１３が正常に廃棄された旨を、紙媒体１３から読み取ったＱＲコードの情報に付されている管理情報とともに、廃棄処理完了情報として、通信手段１０を介して、ネットワーク１に接続された情報管理装置２に送信する。
【００３２】
図４は廃棄処理装置３で紙媒体１３の廃棄処理に異常が発生した場合のシーケンスを示す図である。ここでは異常廃棄処理の例として、第２の記録媒体検知手段８が紙媒体１３の存在を検知した直後に、紙媒体１３が故意に引き抜かれた場合を想定している。
【００３３】
まず、トレイ部１９上に紙媒体１３が置かれると、第１の記録媒体検知手段７の検知信号がＯＦＦからＯＮに切り替わる。次に、紙媒体１３は廃棄処理手段４の方向へ搬送され、紙媒体１３が第２の記録媒体検知手段８によって検知されるまでは正常廃棄時と同じである（図４Ａ乃至Ｃ）。
【００３４】
第２の記録媒体検知手段８が紙媒体１３の存在を検知した段階で故意に紙媒体１３が引き抜かれた場合、各々の記録媒体検知手段７，８のＯＮ／ＯＦＦシーケンスは正常廃棄時とは異なるものとなる。即ち、第２の記録媒体検知手段８の検知信号がＯＮからＯＦＦに切り替わった後に、第１の記録媒体検知手段７の検知信号がＯＮからＯＦＦに切り替わる。このＯＮ／ＯＦＦシーケンスは、図３の表中に示す期待値と相違する。廃棄完了判定手段１１は各々の記録媒体検知手段７，８からの検知結果を受けて、期待値との相違により廃棄処理の異常を感知して紙媒体１３が正常に廃棄されなかったと判定し、その判定結果（以下、「異常廃棄処理判定結果」と記す）を制御手段５に送信する。廃棄完了判定手段１１が制御手段５に判定結果を送信するタイミングとしては、例えば、第２の記録媒体検知手段８の検知信号がＯＮからＯＦＦに切り替わった時点、または、その時点から一定時間経た後などが考えられる。また、第１の記録媒体検知手段７の検知信号がＯＮからＯＦＦに切り替わった時点で搬送規制手段６を再び閉じ、廃棄処理手段４へ紙媒体１３を搬送することの規制をする。
【００３５】
廃棄完了判定手段１１が制御手段５に異常廃棄処理判定結果を送信した場合は、制御手段５は、異常の発生によって紙媒体１３が正常に廃棄されなかった旨を、紙媒体１３から読み取ったＱＲコードの情報に付されている管理情報とともに、廃棄処理完了情報として、通信手段１０を介して、ネットワーク１に接続された情報管理装置２に送信する。
【００３６】
図５は本発明の実施形態に係る廃棄処理装置３の概略動作を示すフローチャートである。まず、廃棄処理装置３の電源がユーザーによって投入される（Ｓ５０１）。廃棄される紙媒体１３は廃棄処理装置３のトレイ部１９上に置かれる。トレイ部１９上の紙媒体１３はシャッターやゲート等の搬送規制手段６によって廃棄処理手段４への搬送が一時的にできない状態となる（Ｓ５０２）。この状態にて紙媒体１３は第１の記録媒体検知手段７によって検知され（Ｓ５０３）、この検知信号をトリガーとして取得手段９による紙媒体１３上にＱＲコード等によりコード化された管理情報の取得開始と（Ｓ５０４）、廃棄完了判定手段１１の動作が開始される。
【００３７】
次に、管理情報の読み取りに成功したかどうかを制御手段５で判定する（ステップＳ５０５）。管理情報の読み取りに成功した場合、制御手段５は、取得手段９が取得した管理情報を通信手段１０を介して情報管理装置２に送信する。このとき、情報管理装置２は受信した管理情報と管理情報データベースの内容を照合し、廃棄可否の情報を廃棄処理装置３に送信するため、当該廃棄可否の情報に基づいて廃棄処理装置３は廃棄可能な紙媒体であるかどうかを判断する（Ｓ５０６）。
【００３８】
紙媒体１３が廃棄可能な場合、制御手段５は、シャッター、ゲート等からなる搬送規制手段６を開放し、紙媒体１３の搬送規制を解除する（Ｓ５０７）。さらに制御手段５は廃棄完了判定手段１１へ廃棄可能情報を送信する。この情報を受けて廃棄完了判定手段１１は各々の記録媒体検知手段７，８のＯＮ／ＯＦＦシーケンスのモニターを開始する。廃棄完了判定手段１１は、廃棄処理手段４の方向に搬送される紙媒体１３の通過を第２の記録媒体検知手段８が検知した後、即ち第２の記録媒体検知手段８の状態遷移がＯＮ→ＯＦＦとなった時（Ｓ５０８）、各々の記録媒体検知手段７，８のＯＮ／ＯＦＦシーケンスのモニター結果から紙媒体１３が廃棄処理手段４にて正常に廃棄されたか否かを判定し（Ｓ５０９）、その判定結果を制御手段５に送信する（Ｓ５１０）。制御手段５はこの判定結果を受けて搬送規制手段６を閉じ状態として（Ｓ５１１）、次の紙媒体１３が廃棄処理手段４へ搬送されないようにする。次に、制御手段５は廃棄処理手段４の駆動を停止する（Ｓ５１２）。
【００３９】
一方、上記ステップＳ５０５において、管理情報の読み取りに失敗、または管理情報を認識できなかった場合（紙媒体１３に予めＱＲコードが印字されていなかった場合なども含む）、制御手段５は、コード情報を認識できなかった旨を表示手段１２に表示する（Ｓ５１３）。また、上記ステップＳ５０６において、紙媒体１３が廃棄不可の場合、制御手段５は、紙媒体１３が廃棄不可である旨を表示手段４に表示する（Ｓ５１４）。
【００４０】
本発明の実施形態では図３に示したように、第１の記録媒体検知手段７および第２の記録媒体検知手段８のＯＮ時間が重なるような期待値を設定したが、紙媒体１３の用紙サイズによっては、各録媒体検知手段のＯＮ／ＯＦＦシーケンスが変化する場合がある。即ち、紙媒体１３の用紙サイズによって、廃棄処理手段４に搬送される方向の長さが違う場合がある。
【００４１】
そのような場合は、紙媒体１３が図示しないトレイにユーザーによって置かれてからトレイ部１９に１枚ずつ送り込まれる間に紙媒体１３の搬送方向長さを媒体通過検知手段２０で検知してもよい。この媒体通過検知手段２０を備えた場合は、次のように紙媒体１３の送り方向の長さを検知することができる。
【００４２】
媒体通過検知手段２０を備えた場合は、当該媒体通過検知手段２０として上記第１の記録媒体検知手段７および第２の記録媒体検知手段８と同様のフォトインタラプタを用いて、紙媒体１３の先端通過から後端通過までの通過所要時間を検知する。図示しないトレイからトレイ部１９に紙媒体１３が搬送される搬送速度を一定に設定すれば、媒体通過検知手段２０を用いて検知した通過所要時間と紙媒体１３の搬送速度から、紙媒体１３の搬送方向長さが導出される。紙媒体１３の搬送方向長さを導出する計算は、制御手段５等で行なってもよい。媒体通過検知手段２０を加えた場合のブロック図を図７に示す。
【００４３】
予め紙媒体１３の搬送方向長さを検知すれば、第１の記録媒体検知手段７と第２の記録媒体検知手段８との配置間隔よりＯＮ／ＯＦＦシーケンスが導出できる。紙媒体１３の搬送方向長さと、第１の記録媒体検知手段７と第２の記録媒体検知手段８との配置間隔によっては例えば図６に示すようなＯＮ／ＯＦＦシーケンスが期待値として導出できる。
【００４４】
第１の記録媒体検知手段７と第２の記録媒体検知手段８との配置間隔は予め設定されていることから、ＯＮ／ＯＦＦシーケンス期待値は、紙媒体１３の搬送方向長さごとに廃棄処理装置３内に記憶してもよいし、検出された紙媒体１３の搬送方向長さからそれに適合するＯＮ／ＯＦＦシーケンス期待値を導出してもよい。
【００４５】
また、第２の記録媒体検知手段８を配置する位置は、搬送路１６中の廃棄処理手段４にできるだけ近い位置としたほうが、紙媒体１３が廃棄処理された事実をより確実に判定することができることは言うまでもない。
【００４６】
本実施形態では、第１の記録媒体検知手段７をトレイ部１９の位置に配置したが、廃棄処理装置３の搬送路１６上に配置しても本発明の効果が現れることは言うまでもない。また、本実施形態では記録媒体検知手段を２つ備えてそれらのＯＮ／ＯＦＦシーケンスを確認することで廃棄処理が正常に行われたか否かを判定しているが、２つ以上の記録媒体検知手段を備えて廃棄処理が正常に行われたか否かを判定してもよい。
【図面の簡単な説明】
【００４７】
【図１】本発明の実施形態に係る廃棄処理情報管理システムのブロック図である。
【図２】本発明の実施形態に係る廃棄処理装置の構成図である。
【図３】本発明の実施形態に係る廃棄処理装置の正常廃棄時のシーケンスを示す図である。
【図４】本発明の実施形態に係る廃棄処理装置の異常廃棄時のシーケンスを示す図である。
【図５】本発明の実施形態に係る廃棄処理装置の概略動作を示すフローチャートである。
【図６】本発明の実施形態に係る廃棄処理装置の正常廃棄時のシーケンスを示す図である。
【図７】本発明の実施形態に係る廃棄処理装置のブロック図である。
【符号の説明】
【００４８】
１…ネットワーク、２…情報管理装置、３…廃棄処理装置、４…廃棄処理手段、５…制御手段、６…搬送規制手段、７…第１の記録媒体検知手段、８…第２の記録媒体検知手段、９（９ａ，９ｂ）…取得手段、１０…通信手段、１１…廃棄完了判定手段、１２…表示手段、１３…紙媒体、１４…ＱＲコード、１５（１５ａ，１５ｂ）…搬送手段、１６…搬送路、１９…トレイ部、２０…媒体通過検知手段、２１（２１ａ，２１ｂ）…搬送補助手段
【図１】
2008178777.tif 000003
【図２】
2008178777.tif 000004
【図３】
2008178777.tif 000005
【図４】
2008178777.tif 000006
【図５】
2008178777.tif 000007
【図６】
2008178777.tif 000008
【図７】
2008178777.tif 000009